(57)【要約】【課題】カウンタウエイトを取り外すことなく、カウンタウエイトと建屋カバーとの高さのずれ及びカウンタウエイトの傾斜を容易に修正でき、外観品質の向上を図ることができる建設機械を提供する。【解決手段】高さ傾斜調整手段を、メインフレーム３の後側部分とカウンタウエイト５の取付面５ａとの間に設け、テ−パ面１０１ａを有した支持手段１０１と、支持手段１０１に対して離間した位置に取り付けた調整手段１０２と、この調整手段１０２と支持手段１０１との間に設けられ、調整手段１０２のボルトの調整により上記テーパ面１０１ａに沿って上下に移動可能なテーパ面１０３ａを有する移動手段１０３とから構成し、この移動手段１０３上に備えられるカウンタウエイト５を上下に移動可能に設ける。【選択図】図３
2007186926.tif 000002
【特許請求の範囲】
【請求項１】
基台と、基台に対して旋回可能に設けられた上部旋回体とを備え、上部旋回体は、上部旋回体の骨格を成し前後方向に配置されたメインフレームと、メインフレームの前側部分に取り付けられた作業装置と、メインフレームの後側部分に取り付けられたカウンタウエイトと、カウンタウエイトと作業装置との間における上部旋回体上に載置された動力装置を覆う建屋カバーとを備えた建設機械において、
前記メインフレームの後側部分と前記カウンタウエイトの下部との間に高さ傾斜調整手段を設け、この高さ傾斜調整手段により、前記建屋カバーとカウンタウエイトとの相関位置を調整できるように構成したことを特徴とする建設機械。
【請求項２】
前記高さ傾斜調整手段は、前記メインフレームの後側部分に固定されテーパ面を有した支持手段と、前記支持手段に対して離間した位置で前記メインフレームの後側部分に固定された調整手段と、この調整手段と前記支持手段との間に設けられた移動手段とから構成され、前記移動手段を、前記調整手段による調整により前記支持手段のテーパ面に沿って移動可能に設けたことを特徴とする請求項１に記載の建設機械。
【発明の詳細な説明】
【技術分野】
【０００１】
本発明は、作業装置及びカウンタウエイトを上部旋回体に備えた、例えば、油圧ショベル，クレーンなどの建設機械に関する。
【背景技術】
【０００２】
建設機械の例として、油圧ショベルを挙げ以下に説明する。
【０００３】
油圧ショベルは、自走可能な下部走行体と、この下部走行体上に旋回可能に設けられた上部旋回体とからなり、この上部旋回体の前側には掘削作業を行うための作業装置が備えられている。
【０００４】
特に、上部旋回体は、メインフレームと、メインフレーム上の前方左側に設けられた運転室と、メインフレームの後側部分に搭載されたカウンタウエイトと、このカウンタウエイトと運転室との間におけるメインフレーム上に設けられた原動機やポンプなどの機器類を覆う建屋カバーとから大略構成されている。
【０００５】
この種の従来技術による油圧ショベルでは、カウンタウエイトの左右両側に、建屋カバーのうちの側面を覆うドアカバーに向けて突出する突出部を設け、この突出部をドアカバーとカウンタウエイトとの間の隙間調整用の削り代として構成している。（例えば、特許文献１参照）
【特許文献１】特願平１１―２２９４４１号公報
【発明の開示】
【発明が解決しようとする課題】
【０００６】
しかしながら、上述した従来技術では、カウンタウエイトをメインフレーム上に取り付けた後、突出部を削ることでカウンタウエイトと建屋カバーとの隙間の調整は可能であるが、カウンタウエイトと建屋カバーとの高さの調整は行うことができない。
【０００７】
通常カウンタウエイトは、カウンタウエイトの左右方向の中央寄り部分をメインフレームによって支えられる構造となっているため、メインフレーム側のカウンタウエイト取付面の平面度の公差、もしくは、カウンタウエイト側の取付面の平面度の公差によって、カウンタウエイトが左右方向に斜めに搭載されてしまう虞がある。
【０００８】
このように、カウンタウエイトが左右方向に斜めに搭載されてしまうと、一方の側面はカウンタウエイトが建屋カバーに比べて低く取り付けられ、他方の側面はカウンタウエイトが建屋カバーに比べて高く取り付けられた状態となり、見栄えに影響を与えてしまう。
【０００９】
また、カウンタウエイトが前後に傾斜して取付けられた状態になってしまうこともあり、これも同様に見栄えに影響を与える。
【００１０】
さらに、上記のように取り付けられると、建屋カバーの高さとカウンタウエイトの高さの違い及びカウンタウエイトの傾斜に留まらず、メインフレームの断面が後方から見える状態となり、外観品質を損ねてしまう。
【００１１】
カウンタウエイトは重量物であるため、カウンタウエイトを、クレーンなどを使って吊るし上げてメインフレームから外す作業を要し、カウンタウエイトを取り外した後、上記取付面とカウンタウエイトとの間にシムを介すことで取付高さ及び傾斜を調整するといったように、大掛かりな作業を必要とする。
【００１２】
本発明は、上述した従来技術の問題に鑑みなされたものであって、その目的は、カウンタウエイトを取り外すことなく、カウンタウエイトと建屋カバーとの高さのずれ及びカウンタウエイトの傾斜を容易に修正でき、外観品質の向上を図ることができる建設機械を提供することにある。
【課題を解決するための手段】
【００１３】
上記目的を達成するために、本願請求項１に係る発明は、基台と、基台に対して旋回可能に設けられた上部旋回体とを備え、上部旋回体は、上部旋回体の骨格を成し前後方向に配置されたメインフレームと、メインフレームの前側部分に取り付けられた作業装置と、メインフレームの後側部分に取り付けられたカウンタウエイトと、カウンタウエイトと作業装置との間における上部旋回体上に載置された動力装置を覆う建屋カバーとを備えた建設機械において、前記メインフレームの後側部分と前記カウンタウエイトの下部との間に高さ傾斜調整手段を設け、この高さ傾斜調整手段により、前記建屋カバーとカウンタウエイトとの相関位置を調整できるように構成したことを特徴としている。
【００１４】
このように構成した請求項１に係る発明は、高さ傾斜調整手段を、メインフレームの後側部分とカウンタウエイトの下部との間に設け、この高さ傾斜調整手段により、前記建屋カバーとカウンタウエイトとの相関位置を調整できるようにしたので、カウンタウエイトを取り外すこと無く、かつ、建屋カバー上への昇り降りを要せず地上側からカウンタウエイトの高さ及び傾斜を調整することができる。
【００１５】
本願請求項２に係る発明は、前記高さ傾斜調整手段は、前記メインフレームの後側部分に固定されテーパ面を有した支持手段と、前記支持手段に対して離間した位置で前記メインフレームの後側部分に固定された調整手段と、この調整手段と前記支持手段との間に設けられた移動手段とから構成され、前記移動手段を、前記調整手段による調整により前記支持手段のテーパ面に沿って移動可能に設けたことを特徴としている。
【発明の効果】
【００１６】
本発明によれば、高さ傾斜調整手段を、メインフレームの後側部分とカウンタウエイトの下部との間に設け、この高さ傾斜調整手段により、前記建屋カバーとカウンタウエイトとの相関位置を調整できるようにしたので、カウンタウエイトをメインフレームから取り外す作業を必要としないで、容易にカウンタウエイトの取付高さのずれ及びカウンタウエイトの傾斜を調整できるとともに、外観のつながりを揃えることができ、外観品質の向上を図ることができる。
【発明を実施するための最良の形態】
【００１７】
以下、本発明の建設機械の実施形態を図に基づいて説明する。
【００１８】
図１は、本発明の第１実施形態による油圧ショベルを示す斜視図であり、図２はメインフレームとカウンタウエイトとを示す斜視図である。図３は、本発明の第１実施形態による高さ傾斜調整手段の外観を示す斜視図であり、図４は、図３中における高さ傾斜調整手段を示す要部拡大II―II断面図である。
【００１９】
この第１の実施形態は、建設機械、例えば、油圧ショベルに備えられるもので、図１に示すように、１は基台としての下部走行体、２は下部走行体１上に旋回可能に搭載された上部旋回体で、この上部旋回体２は、骨格を成すメインフレーム３と、このメインフレーム３の前部左側に設けられた運転室４と、前記メインフレーム３の後側部分に取り付けられた後述のカウンタウエイト５とによって大略構成され、前記メインフレーム３の前側部分に土砂の掘削作業等を行うための作業装置６が設けられている。作業装置６は、アクチュエータによりそれぞれ回動可能に設けられたブーム６Ａ，アーム６Ｂ，バケット６Ｃとから成る。
【００２０】
ここで、メインフレーム３は、図２に示すように、ほぼ平行に配設され前後方向に延びるセンタフレーム７，７と、この各センタフレーム７の左右方向の外側に設けられたサイドフレーム８，８と、各センタフレーム７と各サイドフレーム８とを連結する複数本の張り出しビーム９，９・・・等とによって構成され、メインフレーム３の下側はアンダカバー（図示せず）によって覆われている。また、センタフレーム７，７の後側部分は、後方に突出し、カウンタウエイト５を支持する一対のテールフレーム１０，１０を成している。
【００２１】
１１はメインフレーム３上に設けられ、このメインフレーム３上に機械室を画成する建屋カバーで、この建屋カバー１１は、サイドフレーム８，８に沿って前後方向に延び上向きに立設されたドアカバー１２，１２と、この各ドアカバー１２の上端側を覆うように水平方向に延び中央に開口部（図示せず）が形成された上部カバー１３と、この上部カバー１３の開口部を覆うように、上部カバー１３に開閉可能に取り付けられたエンジンカバー１４とによって大略構成されている。
【００２２】
建屋カバー１１の内部には、原動機としてのエンジンや、このエンジンによって駆動され、下部走行体１、作業装置６等に設けられた各アクチュエータに作動油（圧油）を供給する油圧ポンプ（ともに図示せず）などの駆動装置が搭載されている。
【００２３】
次に発明の要部を、図３を基に説明する。
【００２４】
高さ傾斜調整手段１００は、後述する支持手段１０１，調整手段１０２及び移動手段１０３とから大略構成されている。
【００２５】
支持手段１０１は、断面が台形状の角部材から成っている。
【００２６】
この支持手段１０１は、一方のテールフレーム１０上に、長手方向に沿って溶接などにより取り付けてあり、テーパ面１０１ａが上方を向くように取り付けてある。
【００２７】
調整手段１０２は、長方体の角部材１０２ａとねじ部材１０２ｂとから成っている。
【００２８】
この長方体の角部材１０２ａは、支持手段１０１が取り付けられた同じテールフレーム１０上に設けてあり、上記テーパ面１０１ａに対面するように所定寸法離して溶接などの手段で取り付けてある。さらに、長方体の角部材１０２ａは、離間した２つのねじ穴１０２ｃを有しており、これらのねじ穴１０２ｃは、左右方向に貫通するように形成してある。ねじ部材１０２ｂは、長方体の角部材１０２ａに設けられたねじ穴１０２ｃを貫通してねじ込まれてある。
【００２９】
移動手段１０３は、上記支持手段１０１と同形状に形成された別部材であって、この部材のテーパ面１０３ａは、上記テーパ面１０１ａに対し面で接触するように設けてある。さらに移動手段１０３は、上記支持手段１０１と上記調整手段１０２との間のテールフレーム上に移動可能に設けてある。なお、この移動手段１０３には、上記ねじ部材１０２ｂと圧接する面を避けた位置に、上下に貫通するボルト挿通穴１０３ｂを２つ有している。
【００３０】
一方、カウンタウエイト５の下部には、２つの凹部を形成し、取付面５ａ，５ｂを設けてある。特に、上記高さ傾斜調整手段１００の上面と接する取付面５ａの位置は、高さ傾斜調整手段１００の高さ分と調整高さ分とを考慮したカウンタウエイト５の下面からの高さ寸法Ａを設定してある。この高さ寸法Ａは、高さ傾斜調整手段１００と接合しない側の取付面５ｂからカウンタウエイト５の下面にかけての高さ寸法Ｂより大きく設定してある。
【００３１】
第１の実施形態による建設機械は上述のような構成を有するもので、以下のように動作する。
【００３２】
カウンタウエイト５を建屋カバー１１に対して高さ調整する際には、調整手段としてのねじ部材１０２ｂを、工具を使用して締め付けたり緩めることによって、移動手段１０３が支持手段１０１のテーパ面１０１ａに沿って移動し、これに伴って、移動手段１０３上のカウンタウエイト５を上下動させ、これを繰り返し適切な位置となるように調整する。
【００３３】
カウンタウエイト５の傾斜を調整する際には、車体前方側のねじ部材１０２ｂを締め付けていくことで、カウンタウエイト５を後方側へ傾斜させることができ、車体後方側のねじ部材１０２ｂを締め付けていくことで、カウンタウエイト５を前方側へ傾斜させることができる。
【００３４】
調整が完了すると、取付けボルト（図示せず）をボルト挿通穴１０３ｂへ挿通して、これを締め付けることにより、カウンタウエイト５とテールフレーム１０とを固定する。
【００３５】
以上のように、本実施形態によれば、ねじ部材１０２ｂの締め付け度合いに応じて建屋カバー１１とカウンタウエイト５の相関関係、具体的にはカウンタウエイトの高さ及び傾斜を調整可能にしたことにより、従来のような重機を使用した大掛かりな作業が不要となり、容易にカウンタウエイトの取付高さ及び傾斜を調整できる。さらに、外観のつながりを揃えることができるため、外観品質の向上を図ることができる。
【００３６】
また、建屋カバー１１上部に乗ることなく、カウンタウエイト５の高さ及び傾斜を調整することができるため、製作効率を向上させることができる。
【００３７】
さらに、大幅な部品点数の増加を来たすこと無く、簡単な構成によりカウンタウエイト５の高さのずれ及び傾斜の調整を可能にすることができる。シムなどの調整部材を何枚も用意することを必要としないで高さのずれ及び傾斜を調整することができる。
【００３８】
なお、上述した実施形態では、高さ傾斜調整手段をテールフレーム１０の片方に取り付けた場合を例に挙げたが、両方のテールフレーム１０に取り付けても上述した実施形態と同様の作用効果を有する。但し、この場合、カウンタウエイト５側の取付面５０のカウンタウエイト５の下面からの寸法を左右異ならせる必要はない。
【００３９】
上述した実施形態では、取付面５ａ，５ｂの位置を、それぞれカウンタウエイト５の下面から異ならせた設定を行ったが、テールフレーム１０の高さ寸法を左右それぞれ異ならせる設定としてもよい。
【００４０】
図５は、本発明の第２実施形態による高さ傾斜調整手段を示す要部拡大断面図である。図面に向かって右側が車体の前方側とし、左側が車体の後方側とする。
【００４１】
この第２実施形態は、第１実施形態と同様に、高さ傾斜調整手段２００を、テールフレーム１０側からの力の作用によりカウンタウエイト５００を押し上げるように設けたことを特徴としている。以下詳細に説明する。
【００４２】
図５中、３００は上述した第１実施形態による高さ傾斜調整手段１００に替えて本実施形態に用いた高さ傾斜調整手段で、この高さ傾斜調整手段３００を、テールフレーム１０ｂ側に設けてある。ここで、高さ傾斜調整手段３００は、調整手段としての調整ボルト３００ａと、移動手段としての平板３００ｂとから大略構成されている。
【００４３】
テールフレーム１０ｂには、取付固定用ボルト３０を挿通させるためのボルト穴３１，３１の他に、上記調整手段としての調整ボルト３００ａを挿通させるためのボルト穴３２，３２を有してある。
【００４４】
平板３００ｂには、取付固定用ボルト３０を挿通させるためのボルト穴３３，３３を有して有る。平板３００ｂは、単にテールフレーム１０ｂ上に乗せられている状態にあり、調整ボルト３００ａの締め付けにより調整ボルト３００ａの先端が平板３００ｂを押し上げ、テールフレーム１０ｂに対し離間するようにしてある。
【００４５】
カウンタウエイト５００に設けた取付面５００ａの高さの設定は、上述した第１実施形態と同様である。
【００４６】
第２実施形態による建設機械は上述のような構成を有するもので、以下のように動作する。
【００４７】
調整ボルト３００ａを締め付けていくと、左右方向における高さ傾斜調整手段３００の設けられるカウンタウエイト５００の高さは高くなる。上述した第１実施形態と同様に車体前側の調整ボルト３００ａを締め付けていくと、カウンタウエイト５００は後方側へ傾斜し、逆に車体後側の調整ボルト３００ａを締め付けていくと、カウンタウエイト５００は前方側へ傾斜する。
【００４８】
以上のように、本実施形態によれば、上述した第１実施形態の効果に加え、より簡単な構成によりカウンタウエイト５００の高さ及び傾斜を調整することができる。
【００４９】
上述した各実施形態は、油圧ショベルに限定されるものではなく、クレーンやその他カウンタウエイトを有する建設機械に広く適用できることはいうまでもない。
【００５０】
さらに、上述した実施形態では、一方側のテールフレーム上からの押し上げによる高さ傾斜調整手段により構成したが、本発明はこれに限定されるものではなく、左右両方のテールフレーム上からの押し上げによる高さ傾斜調整手段を左右それぞれに構成しても同様な作用効果を有することはいうまでもない。
【図面の簡単な説明】
【００５１】
【図１】本発明の第１実施形態による油圧ショベルを示す斜視図である。
【図２】メインフレームとカウンタウエイトとを示す斜視図である。
【図３】本発明の第１実施形態による高さ傾斜調整手段の外観を示す斜視図である。
【図４】図３中における高さ傾斜調整手段を示す要部拡大II―II断面図である。
【図５】本発明の第２実施形態による高さ傾斜調整手段を示す要部拡大断面図である。
【符号の説明】
【００５２】
１    下部走行体
２    上部旋回体
３    メインフレーム
４    運転室
５，５００  カウンタウエイト
５ａ，５ｂ，５００ａ  取付面
６    作業装置
６Ａ  ブーム
６Ｂ  アーム
６Ｃ  バケット
７    センタフレーム
８    サイドフレーム
９    張り出しビーム
１０，１０ｂ  テールフレーム
１１  建屋カバー
１２  ドアカバー
１３  上部カバー
１４  エンジンカバー
１００，３００  高さ傾斜調整手段
１０１  支持手段
１０１ａ  テーパ面
１０２  調整手段
１０２ａ  長方体の角部材
１０２ｂ  ねじ部材
１０２ｃ  ねじ穴
１０３  移動手段
１０３ａ  テーパ面
１０３ｂ  ボルト挿通穴
３０  取付固定用ボルト
３１  ボルト穴
３２  ボルト穴
３３  ボルト穴
３００ａ  調整ボルト
３００ｂ  平板
【図１】
2007186926.tif 000003
【図２】
2007186926.tif 000004
【図３】
2007186926.tif 000005
【図４】
2007186926.tif 000006
【図５】
2007186926.tif 000007